(57)【要約】【課題】ＵＳＢメモリの様なリムーバブルメモリの再生が可能な再生装置に於いて、リムーバブルメモリを再生装置の本体に装着するだけで直ちに再生可能な再生装置及び再生方法並びにリムーバブルメモリ用電子機器を得る。【解決手段】再生装置３０の本体に設けたＵＳＢソケット２８にＵＳＢメモリの様なリムーバブルメモリ２９を装着するだけでシステム電源の投入、ファンクションのっ変更、再生動作を自動的に行う再生装置及び再生方法並びにリムーバブルメモリ用電子機器を提供する。【選択図】    図１
2007011802.tif 000002
【特許請求の範囲】
【請求項１】
リムーバブルメモリが装着可能な接線座と、該接線座に挿入された該リムーバブルメモリのデータを少なくとも再生或いは記録制御するコンピュータとを有する再生装置であって、
前記リムーバブルメモリの装着状態を検出する検出手段と、
前記検出手段で前記リムーバブルメモリが装着されたことが判定された時、前記コンピュータは自動的に前記再生装置の電源手段をオン状態とし、ファンクションをリムーバブルメモリモードとして該リムーバブルメモリを再生或いは記録状態に成したことを特徴とする再生装置。
【請求項２】
リムーバブルメモリが装着可能な接栓座と、該接栓座に挿入された該リムーバブルメモリのデータをコンピュータによって少なくとも再生或いは記録制御する再生方法であって、
前記リムーバブルメモリの装着状態を検出する検出手段で該リムーバブルメモリが装着されたことが判定された時、前記コンピュータは自動的に電源手段をオン状態となし、ファンクションをリムーバブルメモリモードとして該リムーバブルメモリを再生或いは記録状態に成したことを特徴とする再生方法。
【請求項３】
リムーバブルメモリが装着可能な接栓座と、該接栓座に挿入された該リムーバブルメモリのデータを少なくとも再生或いは記録制御するコンピュータとを有すリムーバブルメモリ用電子機器であって、前記リムーバブルメモリの装着状態を検出する検出手段と
前記検出手段で前記リムーバブルメモリが装着されたことが判定された時、前記コンピュータは自動的に前記リムーバブル用電子機器の電源手段をオン状態となし、ファンクションをリムーバブルメモリモードとなして該リムーバブルメモリを再生或いは記録状態に成したことを特徴とするリムーバブルメモリ用電子機器。
【請求項４】
前記検出手段は前記接栓座に前記リムーバブルメモリから伝送される伝送信号Ｄ＋、Ｄ−を検出して該リムーバブルメモリが該接栓座に装着されたことを検出することを特徴とする請求項１記載の再生装置。
【請求項５】
前記検出手段は前記接栓座に前記リムーバブルメモリから伝送される伝送信号Ｄ＋、Ｄ−を検出して該リムーバブルメモリが該接栓座に装着されたことを検出することを特徴とする請求項３記載のリムーバブルメモリ用電子機器。
【請求項６】
前記検出手段は前記接栓座に前記リムーバブルメモリが装着された時の口金と接地端子の接続状態を検出して、該リムーバブルメモリが該接栓座に装着されたことを検出することを特徴とする請求項１記載の再生装置。
【請求項７】
前記検出手段は前記接栓座に前記リムーバブルメモリが装着された時の口金と接地端子の接続状態を検出して、該リムーバブルメモリが該接栓座に装着されたことを検出することを特徴とする請求項３記載のリムーバブルメモリ用電子機器。
【発明の詳細な説明】
【技術分野】
【０００１】
本発明は、ＵＳＢ（Universal Serial Bus）再生機能を有する再生装置及び再生方法並びにリムーバブルメモリ用電子機器に係わり、特に、ＵＳＢメモリから成るリムーバブルメモリを再生装置や電子機器に装着することで自動的に再生可能な再生装置及び再生方法並びリムーバブルメモリ用電子機器に関する。
【背景技術】
【０００２】
従来から、ＣＤ（Compact Disc）、ＤＶＤ（Digital Versatile Disc）、ＣＤ−Ｒ、（CD-Recordable）、ＣＤ−ＲＷ（CD-ReWritable）等のディスクに記録された音楽や映像データを再生する電子機器はよく知られている。最近はフラッシュメモリやＨＤＤ（Hard Disc Drive）に書き込まれたデータを再生する電子機器も多用されている。この電子機器ではフラッシメモリやＨＤＤといった記憶メディアを電子機器に内蔵させると、データの入れ替え時の簡便性や音楽再生時の携帯性が問題となるため、これら記憶メディアを取り外し自在としているが、この様な記録メディアはメモリスティック、ＳＤカード、コンパクトフラッシュ（登録商標）、スマートメディア等の複数の規格が存在し汎用性に問題が発生するために汎用性に富むＵＳＢ端子を有するメディアであるＵＳＢメモリを対象とする電子機器が多くなってきている。
【０００３】
上述のＵＳＢメモリ等のリムーバブルメモリからユーザーコードがインタフェースを経由してコンピュータ等の本体に送信されると、ユーザーコードの内容とユニットコードの内容とを比較し、これらが一致していればシステムの起動を許可し、一致していなければシステムの起動を不許可する機能を有するようにしたコンピュータが特許文献１に開示されている。
【０００４】
又、特許文献１にはリムーバブルメモリに音声圧縮フォーマットの再生部をさらに加えることで，コンピュータの起動時以外は一般データ記録部に記録した音声情報を再生するプレーヤとして使用することができる様にしている。音声データはコンピュータ本体からインタフェースを経由してリムーバブルメモリにダウンロードすることもできる。音声情報再生のためには「再生」「停止」「スキップ」などの入力ボタンや，音量ボリューム、ヘッドホン端子などを追加すればよいことと音声圧縮フォーマットの規格は特に限定されず例えば、ＭＰ３（エムペグ「ＭＰＥＧ−１」のAudio Layer-3）の他、ＡＴＲＡＣ３（Adaptive Transfer Acoustic Coding）等適宜選択することができることの記載がある。
【０００５】
更に，リムーバブルメモリにＣＣＤ（電荷結合半導体素子）等の画像撮影部及び液晶等の画像表示部を加えればデジタルカメラとしても使用できて、画像としては静止画像の他に動画を扱えるようにしてもよく解像度、撮影可能枚数などは、一般データ記録部の容量等に従って定め、画像圧縮形式も特に限定されない。リムーバブルメモリで撮影した画像の他、コンピュータ本体からインタフェースを経由してリムーバブルメモリにダウンロードした画像も表示したり、音声再生プレーヤとデジタルカメラの機能を併せもたせてもよい旨の記載があるが、あくまで特許文献１に記載の構成は，キーボードからのパスワード入力を必要としないセキュリティシステムを実現しようとするものである。
【０００６】
更に、又、ＵＳＢインタフェースを具えた情報製品、例えば、ＰＤＡ（個人用携帯情報端末）、携帯電話、ＵＳＢインタフェースのデジタルビデオカメラ等とＵＳＢインタフェースを有する車用音響装置のハードディスクとを相互に接続することにより、情報製品に電源を取得できて、データ或いは音楽を車用音響装置に伝送することができるようにしたものが特許文献２に開示されている。
【０００７】
即ち、ＵＳＢインタフェースの情報製品に車上で電力供給できるようにすると共に直接ＵＳＢソケットで、ＵＳＢインタフェースの携帯式製品、例えば、携帯電話、ＰＤＡ、携帯式ＭＰ３プレーヤより、イメージファイル、映画、文字データ或いは音楽を車用音響装置に伝送できるようにしたものである。
【０００８】
図４は車用音響装置の系統図を示すもので、筐体内部に基板が接合され、この基板は、ＵＳＢコントロールインタフェースユニット５１、ＣＤ／ＶＣＤ（ビデオ用ＣＤ）入力処理ユニット５３、ＣＤ／ＶＣＤコントロールユニット５４、コントロールパネルユニット５５、オーディオ出力ユニット５６、表示ユニット５７、マイクロプロセッサユニット５８を備えている。
【０００９】
ＵＳＢコントロールインタフェースユニット５１は、その一端が電気的にＵＳＢインタフェースソケット５２に接続され、ＵＳＢインタフェースソケット５２に直接ＵＳＢインタフェースの携帯式製品、例えば、携帯電話、ＰＤＡ、携帯式ＭＰ３プレーヤ等が挿入されてイメージファイル、映画、文字データ或いは音楽データの伝送或いは電源の取り出しの機能が実行される。
【００１０】
上述の特許文献２に開示の音響装置では、ＵＳＢインタフェースソケットにＵＳＢ装置のＰＤＡ、や携帯式ＭＰ３プレーヤ等が挿入されてイメージファイル、映画、文字データ或いは音楽データの伝送或いは電源の取り出しが行なわれるように成したものである。
【００１１】
更に、ＵＳＢの新旧バージョンを判断できるＵＳＢインタフェース識別装置が特許文献３に開示されている。このインタフェース識別装置は、ＵＳＢインタフェースと電子装置の間に判断回路が設けられ、この判断回路中に表示装置が連接され、この判断回路がＵＳＢの伝送信号（Ｄ＋、Ｄ−）の振幅変化により伝送速度を判断して判断結果を表示装置に出力して表示させることで使用者がコンピュータと電子装置の間の伝送が、低速、全速、高速のいずれの速度でなされているかを判断して、有効にＵＳＢ規格の使用状態を掌握させることが出来るようにするもので、ＵＳＢメモリの検出に伝送信号Ｄ＋、Ｄ−の振幅変化を利用したものが開示されている。
【００１２】
上述の特許文献１乃至特許文献３に開示されている様にＵＳＢ端子を有するリムーバブルメモリ（以降ＵＳＢメモリと記す）を再生させる機能をシステムオーディオやステレオプレーヤ（再生装置）で実現する場合、このＵＳＢメモリ内のファイルを再生する際に行わなければならない従来の操作は以下の様に成される。
・  ＵＳＢメモリを本体に挿入する。
・  システム電源を入れる。
・  ファンクションをＵＳＢメモリのものに切り替える。
・  再生キーを押圧する。
【特許文献１】特開２００１−３３９８６６号公報
【特許文献２】実用新案登録第３１００２００号公報
【特許文献３】実用新案登録第３０９９０５９号公報
【発明の開示】
【発明が解決しようとする課題】
【００１３】
然し、上述の従来の操作はきわめて煩雑であるといった課題があった。本発明ではこのような課題を解決するために成されたもので、再生装置や電子機器本体のＵＳＢソケットにＵＳＢメモリを挿入するだけで、再生装置や電子機器内でＵＳＢメモリの挿入の検出から上記（２）乃至（４）の各種操作をソフトウェア又はハードウェアに基づいて自動的に行う様にした再生装置及び再生方法並びにリムーバブルメモリ用電子機器を提供するもことを目的とする。
【課題を解決するための手段】
【００１４】
本発明の再生装置は、リムーバブルメモリが装着可能な接線座と、この接線座に挿入されたリムーバブルメモリのデータを少なくとも再生或いは記録制御するコンピュータとを有する再生装置であって、リムーバブルメモリの装着状態を検出する検出手段と、検出手段でリムーバブルメモリが装着されたことが判定された時、コンピュータは自動的に再生装置の電源手段をオン状態とし、ファンクションをリムーバブルメモリモードとしてリムーバブルメモリを再生或いは記録状態に成したものである。
【００１５】
本発明の再生方法は、リムーバブルメモリが装着可能な接栓座と、この接栓座に挿入されたリムーバブルメモリのデータをコンピュータによって少なくとも再生或いは記録制御する再生方法であって、リムーバブルメモリの装着状態を検出する検出手段でリムーバブルメモリが装着されたことが判定された時、コンピュータは自動的に再生装置の電源手段をオン状態とし、ファンクションをリムーバブルメモリモードしてリムーバブルメモリを再生或いは記録状態に成したものである。
【００１６】
本発明のリムーバブルメモリ用電子機器は、リムーバブルメモリが装着可能な接栓座と、この接栓座に挿入されたリムーバブルメモリのデータを少なくとも再生或いは記録制御するコンピュータとを有すリムーバブルメモリ用電子機器であって、リムーバブルメモリの装着状態を検出する検出手段と、この検出手段でリムーバブルメモリが装着されたことが判定された時、コンピュータは自動的にリムーバブルメモリ用電子機器の電源手段をオン状態とし、ファンクションをリムーバブルメモリモードとしてリムーバブルメモリを再生或いは記録状態に成したものである。
【発明の効果】
【００１７】
本発明によると、ユーザーはＵＳＢメモリを本体のＵＳＢ接栓座に挿入するだけで、再生装置や電子機器システムの電源の投入―ファンクションの変更―再生動作までを自動的に行うことができるため、ＵＳＢメモリ挿入時の操作性を向上させることが出来る再生装置及び再生方法並びにリムーバブルメモリ用電子機器を得ることが可能となる効果を生ずる。
【発明を実施するための最良の形態】
【００１８】
以下、本発明の１形態例の再生装置及び再生方法並びにリムーバブルメモリ用電子機器を図１乃至図３によって説明する。図１は本発明の再生装置の１形態例を示す系統図、図２は本発明の再生方法の１形態例のフローチャート、図３は本発明の再生装置の１形態例を示す全体的構成の斜視図である。
【００１９】
以下、図１及び図２によって本発明の再生装置及び再生方式を説明する前に図３によって再生装置の全体的システム構成を説明する。図３に於いて、コンピュータの本体２１を構成する筐体の前面パネルには上部にモニタ用のフラット表示部７を有し、モニタ用のフラット表示部７の下側には各種操作キー群５が映出されている。これ等の操作キー群は「ＴＡＰＥ」「ＤＶＤ」「ＴＵＮＥＲ」「再生」「停止」「録音」「ファンクション切換キー」等が画面表示される。本体２１の右上にはＣＤやＤＶＤ挿入開口スリット２６が穿たれ、パネル下面に開閉扉２１ａ、２１ｂが設けられ、開閉扉２１ａ内にリムーバブルメモリ、即ちＵＳＢメモリ２９が挿入可能な接栓座（以下ＵＳＢソケットと記す）２８が設けられ、開閉扉２１ｂ内にはテープカセットを記録再生する駆動部が配設されてテープカセットプレーヤを構成している。２２Ｌ、２２Ｒは左右スピーカ、２３はコンピュータ用のディスプレイ、２４はキーボード、２５はマウスを示し、コンピュータ用の本体２１を介してＵＳＢメモリ２９内の音楽データや画像データ等を簡単に聴取或いはモニタできるように構成されている。図３の構成では左右スピーカ２２Ｌ、２２Ｒしか配設されていないが本体２１の背面板には５−１チャンネル用のスピーカ出力端子を有する。
【００２０】
以下、図１によって再生装置内のブロック構成を説明する。図１に於いて、再生装置３０はＵＳＢメモリプレーヤ基板３１とメインコンピュータ基板３２から構成されている。本例では、ＵＳＢメモリ２９を再生するＵＳＢメモリプレーヤ基板３１、ＣＤを再生するＣＤプレーヤ３３、テープカセットを再生するカセットプレーヤ３４、ＡＭ、ＦＭ、ＴＶ等のチューナ３５を備えたシステムスオーディオについて詳記する。
【００２１】
ＵＳＢメモリプレーヤ基板３１にはＵＳＢソケット２８が取り付けられ、このＵＳＢソケット２８はＵＳＢメモリ２９の口金が接触する口金部２８ａと伝送データＤ＋、Ｄ−の端子が装着可能となされている。データＤ＋、Ｄ−の端子、ＧＮＤ、ＶＢＵＳはＵＳＢソケット２８からの圧縮データを読み出して、伸張などを制御するコンピュータの中央情報処理部及びＵＳＢコントローラ並びにＣＯＤＥＣ（コーデック）が集積されたＣＰＵチップ１に接続されている。ＵＳＢソケット３６の口金部２８ａはメインコンピュータ基板３２内に設けられＣＰＵチップ１とデータの授受を行うメインコンピュータ（以下メインＣＰＵと記す）３７のデータラインに接続されている。このデータラインは抵抗Ｒによってプルアップされている。ＣＰＵチップ１はフラッシュメモリ等のＲＯＭ（ロム）３とＳＤＲＡＭ（ＳＤラム）２に接続され、ＣＰＵチップ１はＲＯＭ３に記録されたＲＯＭ情報に従って動作し、ＵＳＢメモリ２９からデータを読み出して圧縮してＳＤＲＡＭ２に記録する。更に、ＣＰＵチップ１には画像入力端子ＶＩＮから画像データが供給され、ビデオアンプ１６を介して画像出力端子ＶＯＵＴに画像データが出力される。尚、４１はＵＳＢプレーヤ３１内の電源回路を示す。
【００２２】
ＣＰＵチップ１にはアナログ−デジタル変換回路／デジタル−アナログ変換回路（ＡＤ／ＤＡ）１５が接続されＡＤ１５からのデジタルデータはメインコンピュータ基板３２側に配設したセレクタ１１に供給されると共にＤＡ１５にはセレクタ１１からデータが供給されている。又、ＤＲＡＭ２に記録された圧縮データをＣＰＵチップ１で伸張し、ＤＡ１５でデジタル音声信号をアナログ音声に変換する。更に、伸張された画像データをアナログ変換し、かつビデオフォーマットに変換しコンポジット信号に変換した後にビデオアンプ１６に出力する。
【００２３】
メインコンピュータ基板３２内にはＣＤプレーや３３、テープカセットプレーヤ３４、チューナ３５からの各種情報データが供給されるＣＤソケット３８、テープカセットソケット３９、チューナソケット４０がバスを介してメインＣＰＵ３７に接続されると共にセレクタ１１に各ソケット３８、３９、４０から情報データを供給可能なように接続されている。商用電源端子ＡＣＩＮに供給された商用電圧はシステム全体の電源をまかなう電源回路１３に接続され、メインＣＰＵ３７で制御するスイッチ等を含む電源回路１３回路を介してＵＳＢメモリプレーヤ１１内の電源回路４１に接続されている。
【００２４】
システムオーディオを構成する再生装置３０全体を制御するためのメインＣＰＵ３７には操作キー群５及びリモートコントローラ（リモコン）６から音声データや映像データの動作指示が成されと共にセレクタ１１及びプリアンプ１０並びにフラット表示駆動回路８にはメインＣＰＵ３７から出力データが供給されるように接続されている。フラット表示部駆動回路８からのデータはフラット表示部７に与えられて操作キー群５やリモコン６の信号を処理し適切な動作をさせて、その状態をフラット表示部７に出力させる。
【００２５】
セレクタ１１の出力端はプリアンプ１０に接続されプリアンプ１０の出力端は更に、ミューテング回路９に接続されたパワーアンプ１４に接続されたスピーカ端子ＳＰＯＵＴを介してスピーカ２２Ｌ、２２Ｒに接続されている。メインＣＰＵ３７はＤＡ制御を行い、ＣＤプレーヤ３３、テープカセット３４から出力される夫々の音声信号はセレクタ１１で選択され、プリアンプ１０で音量や音質が変更されミューテング回路９でミューテング動作がなされ、最終的にパワーアンプ１４でスピーカ２２Ｌ、２２Ｒを駆動できる信号に変換し、スピーカ２２Ｌ，２２Ｒに音声信号を出力する。
【００２６】
ＵＳＢソケット２８とＣＰＵチップ１とはＳＵＢ伝送信号（ＶＢＵＳ，ＧＮＤ，Ｄ＋、Ｄ−）の４信号で接続されるＵＳＢ端子を有し、ＵＳＢソケット２８に接続されるＵＳＢメモリ２９をエニミュレーションして認識し、通信開始する。又、ＵＳＢソケット２８の口金部２８ａは抵抗Ｒでプルアップされた信号線（ＭＥＤＩＡ−ＤＥＴ）を持ち、口金部２８ａとＵＳＢ端子内のＧＮＤが接続されているメディアが挿入されたことを検出できる様に構成されている。この構成によれば、口金部２８ａとＵＳＢ端子内のＧＮＤが接続されているメディアを挿入したときにＭＥＤＩＡ−ＤＥＴはその信号論理は「Ｌ」それ以外で「Ｈ」となるため、その信号を検出することでＵＳＢソケット２８に接続されたメディアであるＵＳＢメモリ２９の有無を検出することができる。
【００２７】
その他メディアの有無を確認する方法として、ＵＳＢデータＤ＋、Ｄ−の端子ラインをモニタすることも可能である。ＵＳＢメモリ２９はフルスピードではＵＳＢ端子Ｄ＋に、ロースピードではＵＳＢ端子Ｄ−にそれぞれ１５ｋΩのプルアップ抵抗を持つため、これらのポートの変化をＣＰＵチップ１でモニタすることでもメディアの有無を確認することが可能である。それ以外にも通信が確立した任意の時点でメディア有と判定し、それ以外ではメディア無と判定することも可能である。他にＣＰＵチップ１はセレクタ１１から入力されＡＤ１５にてデジタル化された音声信号やＶＩＮから入力された映像信号をデジタル変換し、それを圧縮してＵＳＢソケット２８に接続されたＵＳＢメモリ２９に記録することも出来る。この時ＡＤ１５は入力されたアナログ音声信号をデジタル化してＣＰＵチップ１に渡す。又、ＶＩＮから入力された映像信号もＣＰＵチップ１に渡されデジタル化される。デジタル化された音声・映像信号をＳＤＲＡＭ２に記録する共に圧縮してＵＳＢソケット２８に接続されたＵＳＢメモリ２９に記録することも出来る。
【００２８】
通常、ＵＳＢメモリ２９に記録された圧縮データを再生する手順は
（１）再生すべきメディアをＵＳＢソケット２８に挿入する。
（２）電源回路１３を「オン」させる命令を操作キー群５若しくはリモコン６を入力させ、全体のシステムの電源を入れる。
（３）再生すべきファンクションに切り替える。
（４）再生開始の命令を操作キー群５若しくはリモコン６より入力させる。
ことで再生動作させることとなる。
【００２９】
このような処理の煩雑さを除くための上述の本発明の再生装置３０の動作を図２（Ａ）（Ｂ）により説明する。本発明ではメディアの挿入検知をトリガに、これらの一連の動作を自動化したもので、図２（Ａ）に於いて、第１ステップＳ１ではＣＰＵチップ１と接続されているメインＣＰＵ３７はリムーバブルメモリのＵＳＢメモリ２９がＵＳＢソケット２８に挿入されたか否かの検出を上記した「Ｌ」「Ｈ」状態で検知する。第２ステップＳ２ではメインＣＰＵ３７は電源回路１３を「オン」状態にし、第３ステップＳ３ではファンクションをＵＳＢメモリ２９のモードにし、第４ステップＳ４ではＵＳＢメモリ２９を再生状態にしてエンドにいたる  上述の構成ではメインＣＰＵ３７で図２（Ａ）のフロー制御を行なったが、メインＣＰＵと接続されたＣＰＵチップ１で行っても良いことは明らかである。
【００３０】
図２（Ａ）のフローに於いて、電源回路１３の電源が「オフ」でもファンクションが変えられるシステムであれば第２ステップＳ２と第３ステップＳ３のステップの順番は問わず実現可能である。
【００３１】
又、これらのフローを実現するときに、それぞれのステップの間に待ち時間を設けても、同様な効果が得られることは明白である。例えば、図２（Ａ）ではＳ３とＳ４の間に待ち時間は記述されていないが、実際のシステムでは第３ステップＳ３の後、一定時間はファンクションを変更できない場合などがある。このような場合、それぞれのプロセスの間に待ち時間を当然設けることとなる。
【００３２】
他にも、これらの第２ステップＳ２〜第４ステップＳ４のプロセスの一部を削除してもよい。例えばシステムの電源回路１３が「オン」の状態で、メディアの挿入を検出した場合等に図２（Ｂ）に示す様に第１ステップＳＴ１でＵＳＢルメモリ２９が挿入されたかを判断し、第２ステップＳＴ２でファンクションをＵＳＢモードにした後に第３ステップＳＴ３でＵＳＢメモリ２９を再生状態にする。又、電源回路が「オン」で且つ、ＵＳＢモード以外のファンクションモードになっている場合は当然ＵＳＢメモリ２９を再生にする第３ステップＳＴ３のみが自動的に行われるようにしても同様な効果が得られる。これら一連の動作を行うにあたってのメディアの検出は、システムの電源状態にもよるがＣＰＵチップ１又はメインＣＰＵ３７のどちらでも検出することが可能である。ＣＰＵチップ１で挿入の検出を行った場合でも、メインＣＰＵ３７にその旨を通信させることで、一連のフローをメインＣＰＵ３７で実現することができる。
【００３３】
本発明の再生装置及び再生方法並びにリムーバブルメモリであるメディアに記録された音楽や映像データの再生動作などを行う場合にシステム全体の電源の投入、ファンクションの変更、再生などの動作の操作、メディアの挿入を自動的に行い、メディアが挿入されたか否かの検出はＵＳＢのソケットのデータＤ＋/Ｄ−の端子の状態やＵＳＢソケットのＧＮＤと口金が接続されていることを利用することで操作性の向上したシステムオーディオやステレオプレーヤを得ることが出来る。
【産業上の利用可能性】
【００３４】
上述の構成では再生装置について説明したが、本発明はＵＳＢインタフェースを具えた情報製品、例えば、ＰＤＡ（個人用携帯情報端末）、携帯式ＭＰ３プレーヤ、マイクロコンピュータ、携帯電話、ＵＳＢインタフェースのデジタルビデオカメラ等のＵＳＢインタフェースを有する電子機器に適用可能であり、ＵＳＢメモリとこれら電子機器を相互に接続することにより、電子機器の電源の投入ができて、操作性の向上したデータ或いは音楽の再生を自動化することができる。又、実施例では音声再生／録音及び映像再生／記録可能な自動再生／記録装置として説明したが再生装置（システムオーディオ、ステレオプレーヤ）として画像処理系回路を取り除いた構成としても良く、自動再生をソフトウェアで説明したがハードウェアで構成しても良いことは明らかである。
【図面の簡単な説明】
【００３５】
【図１】本発明の再生装置及び再生方法並びにリムーバブルメモリ用電子機器の１形態例を示す系統図である。
【図２】本発明の本発明の再生装置及び再生方法並びにリムーバブルメモリ用電子機器の１形態例を示すフローチャートである。
【図３】本発明の再生装置及び再生方法並びにリムーバブル用電子機器の１形態例を示す斜視図である。
【図４】従来のＵＳＢインタフェースを有する車用音響装置の系統図である。
【符号の説明】
【００３６】
１・・・ＣＰＵチップ、２・・・ＳＤＲＡＭ、３・・・ＲＯＭ、５・・・操作キー群、６・・・リモコン、７・・・フラット表示部、８・・・フラット表示部駆動回路、９・・・ミューテング回路、１０・・・プリアンプ、１１・・・セレクタ、１３、４１・・・電源回路、１４・・・パワーアンプ、１５・・・ＡＤ／ＤＡ、１６・・・ビデオアンプ、２１・・・本体、２２Ｌ、２２Ｒ・・・左右スピーカ、２８・・・ＵＳＢソケット、２９・・・ＵＳＢメモリ、３０・・・再生装置、３１・・・ＵＳＢメモリプレーヤ基板、３２・・・メインコンピュータ基板、３３・・・ＣＤプレーヤ、３４・・・テープカセットプレーヤ、３５・・・チューナ、３７・・・メインＣＰＵ、３８・・・ＣＤソケット、３９・・・デッキソケット、４０・・・チューナソケット、４１・・・ＵＳＢソケット
【図１】
2007011802.tif 000003
【図２】
2007011802.tif 000004
【図３】
2007011802.tif 000005
【図４】
2007011802.tif 000006